(57)【特許請求の範囲】
【請求項１】
ゲル剤を収容した容器状のゲル剤収容部と、該ゲル剤収容部の開口部を下方へ向けた状態で当該ゲル剤収容部を支持する容器状の支持部とを備え、該支持部の周面が底面へ向かうに従って内側に傾斜するとともに当該周面に揮散口が開設された揮散容器において、
前記ゲル剤収容部を前記支持部にセットした状態で、前記揮散口の少なくとも一部が前記ゲル剤収容部の前記開口部の下側に位置するように当該揮散口を配置する一方、
前記ゲル剤収容部の前記開口部から前記ゲル剤が膨出した際に当該ゲル剤に当接するリブを前記支持部の前記底面に起立し、当該リブを前記支持部の前記周面側から当該支持部の中心方向へ向けて延設したことを特徴とする揮散容器。
【請求項２】
前記リブの上縁が前記周面側から前記中心方向へ向かうに従って低くなるように設定したことを特徴とする請求項１記載の揮散容器。
【請求項３】
前記リブを複数設けるとともに、各リブの先端を離間して各リブの先端側に連通空間を設け、前記各リブで区画された各側方空間を前記連通空間を介して連通可能に構成したことを特徴とする請求項１又は２記載の揮散容器。
【請求項４】
前記ゲル剤収容部における前記開口部の周縁部に被係合部を設ける一方、
前記リブの前記周面側の端部に上方へ延出する舌片を設け、前記ゲル剤収容部を前記支持部にセットした状態で、前記ゲル剤収容部の前記被係合部と係合する係合部を前記舌片の先端部に設けたことを特徴とする請求項１、２又は３記載の揮散容器。
【発明の詳細な説明】
【技術分野】
【０００１】
本発明は、揮散体を揮散させる揮散容器に関する。
【背景技術】
【０００２】
従来、ゲル状の芳香剤等を揮散する際には、揮散容器が使用されていた（例えば、特許文献１から特許文献４参照。）。
【０００３】
これらの揮散容器は、ゲル剤を収容したゲル剤収容部と、該ゲル剤収容部を支持する支持部とによって構成されており、該支持部は、前記ゲル剤収容部の開口部を下方へ向けた状態で、当該ゲル剤収容部を支持できるように構成されている。
【０００４】
前記支持部は、容器状に形成されており、垂直に起立した周面に揮散口が設けられている。（例えば、特許文献２から特許文献４参照。）。これにより、前記ゲル剤収容部に収容されたゲル剤から揮散した芳香剤等の薬剤を外部に放出できるように構成されている。
【０００５】
また、前記支持部としては、デザイン性を高めたものが知られており（例えば、特許文献１参照。）。当該揮散容器の支持部は、その周壁の直径が底面に向かうに従って狭くなるように形成されている。
【０００６】
このような揮散容器にあっては、前記ゲル剤は、保存状態においてゲル化していた水、有機溶媒等が離水するという現象が起こる場合がある。この場合、前記ゲル剤収容部の開口部より露出したゲル剤表面に水滴が貯まり、当該水滴が滴下し、設置面を汚す場合がある。
【０００７】
このため、滴下した水滴が前記揮散口から外部に漏れないように、前記ゲル剤収容部の開口部の真下に前記揮散口が開口しないように工夫する必要がある。
【０００８】
すなわち、前述した特許文献１では、第６図及び第７図に示されているように、揮散口の下縁がゲル剤収容部の開口部の投影面より外側に位置するように設定されている。
【先行技術文献】
【特許文献】
【０００９】
【特許文献１】実開昭６０−１８０４３４号公報
【特許文献２】特開平０９−２９９４６９号公報
【特許文献３】特開平０９−２９９４７０号公報
【特許文献４】特開平１０−００５３２２号公報
【発明の概要】
【発明が解決しようとする課題】
【００１０】
しかしながら、このような従来の揮散容器にあっては、揮散口の下縁がゲル剤収容部の開口部の投影面より外側に位置するように設定しなければならなかった。
【００１１】
このため、前記ゲル剤収容部の開口部を狭くする、あるいは前記揮散口を外側に設ける等の制約があり、設計の自由度が制限されていた。
【００１２】
本発明は、このような従来の課題に鑑みてなされたものであり、不具合を防止しつつ、設計の自由度を高めることができる揮散容器を提供することを目的とするものである。
【課題を解決するための手段】
【００１３】
前記課題を解決するために本発明の請求項１の揮散容器にあっては、ゲル剤を収容した容器状のゲル剤収容部と、該ゲル剤収容部の開口部を下方へ向けた状態で当該ゲル剤収容部を支持する容器状の支持部とを備え、該支持部の周面が底面へ向かうに従って内側に傾斜するとともに当該周面に揮散口が開設された揮散容器において、前記ゲル剤収容部を前記支持部にセットした状態で、前記揮散口の少なくとも一部が前記ゲル剤収容部の前記開口部の下側に位置するように当該揮散口を配置する一方、前記ゲル剤収容部の前記開口部から前記ゲル剤が膨出した際に当該ゲル剤に当接するリブを前記支持部の前記底面に起立し、当該リブを前記支持部の前記周面側から当該支持部の中心方向へ向けて延設した。
【００１４】
すなわち、ゲル剤から揮散される薬剤は、一般的に空気より重い。このため、ゲル剤収容部の開口部を下方へ向けた状態で支持部に支持することで、前記ゲル剤収容部内のゲル剤から揮散された薬剤を、前記ゲル剤収容部より効率良く供給することができる。
【００１５】
このとき、前記ゲル剤から揮散された薬剤は、容器状に形成された前記支持部の底面側に貯留される。このため、この薬剤を前記支持部から効率的に外部へ供給するには、前記支持部の周面に開設された揮散口を、できるだけ前記底面側に設けることが望ましい。
【００１６】
一方、前記支持部の前記周面は、デザイン上、前記底面へ向かうに従って内側に傾斜するように構成されており、本願発明では、この傾斜した周面に開口する揮散口は、少なくともその一部が前記ゲル剤収容部の前記開口部の下側に位置するように当該揮散口が前記底面側に配置され、揮散薬剤の揮散効率の向上が図られている。
【００１７】
このとき、前記揮散口は、その開口部分の一部が前記ゲル剤収容部の前記開口部の下方に回り込んでしまう。つまり、本願発明では、前記ゲル剤収容部を前記支持部にセットした状態で、前記揮散口の少なくとも一部が前記ゲル剤収容部の前記開口部の下側に位置するように当該揮散口が配置されている。
【００１８】
ここで、前記ゲル剤は、離水する場合がある。これにより、前記ゲル剤収容部の前記開口部より露出した前記ゲル剤の表面に水滴が貯まり、この水滴が前記揮散口を介して外部に漏れる恐れがある。
【００１９】
そこで、本願発明では、前記支持部の前記底面に、リブが起立されており、前記ゲル剤収容部の前記開口部から前記ゲル剤が膨出した際に当該ゲル剤が前記リブに当接するように構成されている。
【００２０】
このため、前記開口部から膨出した前記ゲル剤は、前記リブによって下方から支持されるとともに、当該ゲル剤の表面に付着した水滴は、前記リブの上縁や側面に沿って流れることで、当該支持部の底部に案内される。
【００２１】
このとき、前記リブは、前記支持部の前記周面側から当該支持部の中心方向へ向けて延設されている。このため、前記リブの上縁に沿って流れた水滴は、当該支持部の中心部に集められる。
【００２２】
また、請求項２の揮散容器においては、前記リブの上縁が前記周面側から前記中心方向へ向かうに従って低くなるように設定した。
【００２３】
すなわち、前記リブは、その上縁が周面側から中心方向へ向かうに従って低くなるように設定されており、当該リブに伝った水滴は、前記上縁に沿って前記中心方向へ案内される。
【００２４】
また、前記ゲル剤収容部の開口部から膨出した前記ゲル剤は、中心部が下方に突出するように球面状に膨出する場合がある。
【００２５】
このとき、前記リブは、その上縁が中心方向へ向かうに従って低くなるように設定されているため、当該リブは、その上縁が下方に膨出した前記ゲル剤の表面に線接触する。
【００２６】
これにより、前記リブの上縁が前記ゲル剤表面に点接触する場合と比較して、接触面積の増大が図られる。
【００２７】
さらに、請求項３の揮散容器では、前記リブを複数設けるとともに、各リブの先端を離間して各リブの先端側に連通空間を設け、前記各リブで区画された各側方空間を前記連通空間を介して連通可能に構成した。
【００２８】
すなわち、前記支持部の前記周面側から中心方向へ延設された前記リブは、複数設けられており、前記開口部より膨出した前記ゲル剤が前記各リブの上縁に接した状態においては、各リブの側方に設けられた側方空間が当該リブによって区画されてしまう。
【００２９】
このとき、前記各リブの先端は、離間するように構成されており、各リブの先端側に連通空間が形成されている。このため、前記各リブで区画された側方空間内で揮散した薬剤は、前記連通空間を介して各側方空間に流通し、その濃度が一定化される。そして、濃度が一定化された薬剤は、各側方空間に連通した揮散口より外部へ供給される。
【００３０】
加えて、請求項４の揮散容器にあっては、前記ゲル剤収容部における前記開口部の周縁部に被係合部を設ける一方、前記リブの前記周面側の端部に上方へ延出する舌片を設け、前記ゲル剤収容部を前記支持部にセットした状態で、前記ゲル剤収容部の前記被係合部と係合する係合部を前記舌片の先端部に設けた。
【００３１】
すなわち、前記ゲル剤収容部における前記開口部の周縁部には、被係合部が設けられており、前記リブの前記周面側の端部には、上方へ延出する舌片が設けられるとともに、該舌片の先端部には、前記ゲル剤収容部を前記支持部にセットした状態で、前記ゲル剤収容部の前記被係合部と係合する係合部が設けられている。
【００３２】
このため、前記ゲル剤収容部を前記支持部にセットした際には、前記リブの端部に設けられた舌片先端の係合部が前記ゲル剤収容部の前記被係合部に係合することによって、前記支持部からの前記ゲル剤収容部の不用意な離脱が防止される。
【発明の効果】
【００３３】
以上説明したように本発明の請求項１の揮散容器にあっては、ゲル剤を収容したゲル剤収容部を、その開口部を下向きにした状態で支持できるため、空気より重い揮散薬剤を、前記ゲル剤収容部から効率的に取り出すことができる。
【００３４】
このとき、下向きに配置した前記ゲル剤収容部の開口部から前記ゲル剤が膨出することがあるが、このゲル剤を前記支持部に設けられたリブで支持することができる。これにより、前記ゲル剤の不用意な飛び出しを確実に防止することができる。
【００３５】
そして、空気より重い揮散薬剤は、前記支持部の底部側に貯まる傾向にある。しかし、前記支持部の周面に設けられた供給口を底面寄りの部位まで設けることで、前記支持部内に貯留した前記揮散薬剤を効率的に外部へ供給することができる。
【００３６】
これにより、前記ゲル剤収容部を下向きに配置したことによる不具合を防止しつつ、前記ゲル剤から揮散した揮散薬剤を効率的に供給することができる。
【００３７】
一方、前記ゲル剤収容部の開口部から露出した前記ゲル剤の表面は、水滴が付着することがある。このとき、前記支持部の前記底面には、前記開口部から膨出した前記ゲル剤に当接する前記リブが立設されており、前記ゲル剤表面に付着した水滴を前記リブに沿って案内することで、当該水滴を前記支持部の底部に集めることができる。
【００３８】
このとき、前記リブは、前記支持部の前記周面側から当該支持部の中心方向へ向けて延設されている。このため、前記水滴を前記リブの上縁に沿って流すことで、この水滴を当該支持部の中心部に集めることができる。
【００３９】
このように、前記ゲル剤表面に発生した水滴を前記リブによって前記支持部の底部に案内することができるので、前記ゲル剤表面からの水滴の滴下を未然に防止することができる。
【００４０】
このため、本願発明のように前記支持部の周面を底面側へ向かうに従って内側に傾斜するデザインとするとともに、揮散効率を高める為に前記揮散口の少なくとも一部が前記ゲル剤収容部の前記開口部の下側に位置するように当該揮散口を下部側に配置した場合であっても、該揮散口から外部への前記水滴の漏れを確実に防止することができる。
【００４１】
したがって、前記ゲル剤収容部の開口部の真下に前記揮散口が開口しないように、前記開口部を小さくしたり、前記揮散口を高位置に配置しなければならなかった従来と比較して、液漏れ等の不具合を防止しつつ、デザイン設計時の自由度を高めることができる。
【００４２】
また、請求項２の揮散容器においては、前記リブの上縁が周面側から中心方向へ向かうに従って低くなるように設定したため、当該リブに伝った水滴を、前記上縁に沿って前記支持部の中心部に集めることができる。
【００４３】
一方、前記ゲル剤収容部の開口部から膨出した前記ゲル剤は、中心部が下方に位置するように球面状に突出することとなる。このとき、前記リブは、その上縁が中心方向へ向かうに従って低くなるように設定されているため、当該リブの上縁を、下方に膨出した前記ゲル剤の表面に線接触させることができる。
【００４４】
これにより、前記リブの上縁が前記ゲル剤表面に点接触する場合と比較して、接触面積の増大を図ることができ、当該リブによる前記水滴の収集効果を高めることができる。
【００４５】
さらに、請求項３の揮散容器では、前記支持部の前記周面側から中心方向へ向けて延在する前記リブが複数設けられており、前記開口部より膨出した前記ゲル剤が前記各リブの上縁に接した状態において、各リブの側方に設けられた側方空間が当該リブによって区画されてしまう。
【００４６】
このとき、前記各リブの先端は、離間するように構成されており、各リブの先端側に連通空間が形成されている。このため、前記各リブで区画された各側方空間内で揮散した薬剤を、前記連通空間を介して各側方空間に流通することができ、各側方空間での揮散薬剤の濃度を一定にすることができる。
【００４７】
これにより、濃度が一定化された薬剤を、各側方空間に連通した揮散口より外部へ供給することができ、供給方向によって薬剤濃度が変化するといった不具合を未然に解消することができる。
【００４８】
加えて、請求項４の揮散容器にあっては、前記ゲル剤収容部における前記開口部の周縁部には、被係合部が設けられており、前記リブの前記周面側の端部には、上方へ延出する舌片が設けられるとともに、該舌片の先端部には、前記ゲル剤収容部を前記支持部にセットした状態で、前記ゲル剤収容部の前記被係合部と係合する係合部が設けられている。
【００４９】
このため、前記ゲル剤収容部を前記支持部にセットした際には、前記リブの端部に設けられた舌片先端の係合部を前記ゲル剤収容部の前記被係合部に係合することで、前記支持部からの前記ゲル剤収容部の不用意な離脱を防止することができる。
【００５０】
これにより、前記ゲル剤収容部を保持して移動する等の利用形態が可能となる。
【図面の簡単な説明】
【００５１】
【図１】本発明の一実施の形態を示す側面図である。
【図２】同実施の形態を示す図で、（ａ）はゲル剤収容部の側面図であり、（ｂ）はゲル剤収容部の底面図である。
【図３】同実施の形態のゲル剤収容部にゲル剤を収容する状態を示す説明図であり、（ａ）はゲル剤を充填する状態を示す図で、（ｂ）は充填したゲル剤をゲル化する状態を示す図である。
【図４】同実施の形態の支持部を示す平面図である。
【図５】図３のＡ−Ａ線に沿った断面図を示す説明図である。
【図６】図４の要部を示す拡大図である。
【図７】同実施の形態のスタッキング状態を示す図である。
【発明を実施するための形態】
【００５２】
以下、本発明の一実施の形態を図に従って説明する。
【００５３】
図１から図６は、本実施の形態にかかる揮散容器１を示す図であり、この揮散容器１は、ゲル剤２（図５参照）に含まれた芳香剤等の薬剤を揮散するものである。
【００５４】
図２には、前記揮散容器１の上部を構成するゲル剤収容部１１が示されており、該ゲル剤収容部１１は、図２の（ａ）に示すように、半球状に形成されている。該ゲル剤収容部１１の上部には、キャップ取付部１２が設けられており、該キャップ取付部１２には、図２の（ａ）中に破線で示したように、先細り形状にデザインされたキャップ１３が取り付けられるように構成されている（図１参照）。
【００５５】
このゲル剤収容部１１内に前記ゲル剤２を収容する際には、図３の（ａ）に示したように、前記ゲル剤収容部１１を逆さまに配置して前記ゲル剤２を充填する。この際に、前記ゲル剤収容部１１が満杯になるまで前記ゲル剤２を充填することは困難であり、当該ゲル剤収容部１１内の上部には、僅かな空間が生ずる。
【００５６】
この状態において、充填口をシールした後、図３の（ｂ）に示すように、当該ゲル剤収容部１１を反転させて冷却し充填したゲル剤２をゲル化する。このとき、前記ゲル剤収容部１１の上部、具体的には前記キャップ取付部１２には、前記ゲル剤２が充填されない空間が形成され、販売時の見栄えが悪くなってしまう。
【００５７】
そこで、本実施の形態のように、前記キャップ取付部１２に前記キャップ１３を取り付けることによって、この空間を隠蔽すことができる。これにより、販売時において美観が高い商品とすることができる。
【００５８】
このゲル剤収容部１１は、有色透明に形成されており、内部には、前記ゲル剤２が充填されている。これにより、内部のゲル剤２が減少した際には、当該ゲル剤収容部１１の外側から確認できるように構成されている。
【００５９】
前記ゲル剤収容部１１の下部には、内側に後退した段差面２１がリング状に形成されており、該段差面２１の内縁からは、円筒部２２が下方へ向けて延出している。該円筒部２２の下縁には、リング状の突出部２３が全周に渡って形成されており、この突出部２３によって当該ゲル剤収容部１１における前記円筒部２２の周面には、被係合部２４が形成されている。
【００６０】
前記円筒部２２の内側には、図２の（ｂ）に示したように、円形の開口部３１が設けられており、該開口部３１は、当該ゲル剤収容部１１内に連通している。
【００６１】
これにより、前記開口部３１を上方へ向けた状態で、当該開口部３１から当該ゲル剤収容部１１内に前記ゲル剤２を注入してゲル化させることで、前記ゲル剤２が充填された前記ゲル剤収容部１１を形成できるように構成されており、ゲル化されてなる前記ゲル剤２は、その下部周縁が前記段差面２１に支持されることによって、当該ゲル剤収容部１１の前記開口部３１を下方へ向けた下向き状態を形成しても、前記ゲル剤２の不用意な飛び出しを防止できるように構成されている。
【００６２】
この揮散容器１は、図５に示したように、前記ゲル剤収容部１１の前記開口部３１を下方へ向けた下向き状態で、当該ゲル剤収容部１１を支持する容器状の支持部４１を備えている。
【００６３】
この支持部４１は、上方へ向けて開口した容器状に形成されており、円形の底面５１と、該底面５１の周縁より上方へ向けて延出した周面５２とを備えている。該周面５２は、半球状に形成されており、当該周面５２は、その上縁から前記底面５１へ向かうに従って内側に傾斜するとともに、その傾斜角が前記底面５１へ向かうに従って変化するように構成されている。
【００６４】
前記底面５１の中央部には、上方に膨出した円形の膨出部６１が形成されており、当該底面５１の下面側には、この膨出部６１によって円形の凹部６２が形成されている。これにより、当該揮散容器１を重ねてスタッキングする際には、図７に示すように、前記キャップ１３の一部を上段に配置された揮散容器１の前記凹部６２内に収容できるように構成されており、スタッキング効率が高められるように構成されている。
【００６５】
前記周面５２には、図１及び図４に示したように、前記ゲル剤２から揮散した揮散薬剤を当該支持部４１より外部へ放出する為の揮散口７１，・・・が複数設けられている。
【００６６】
各揮散口７１，・・・は、円形に形成されており、大径のものと小径のものとが周方向に交互に配置されている。この周方向に配列された前記各揮散口７１，・・・は、当該支持部４１の上縁側にて周方向に配列された上段構成部７５と、前記底面５１側にて周方向に配列された下段構成部７６とを構成しており、該下段構成部７６を構成する揮散口７１，・・・によって当該支持部４１の底部側に貯留した前記揮散薬剤の外部への放出を促進できるように構成されている。
【００６７】
これにより、前記各揮散口７１，・・・は、前記ゲル剤収容部１１を当該支持部４１にセットした状態で、前記下段構成部７６の下端部が前記ゲル剤収容部１１の前記開口部３１の下側に位置するように構成されており、前記各揮散口７１，・・・は、その下端部が前記ゲル剤収容部１１の前記開口部３１の真下に形成される投影面７７内に位置するように構成されている。
【００６８】
この支持部４１の前記底面５１には、図５及び図６に示したように、薄板状のリブ８１，・・・が四ヶ所に立設されており（図４参照）、前記ゲル剤収容部１１の前記開口部３１から前記ゲル剤２が膨出した際に、図５に示したように、当該ゲル剤２が前記各リブ８１，・・・に当接するように構成されている。前記各リブ８１，・・・は、前記支持部４１の前記周面５２側から当該支持部４１の支持部中心８２方向へ向けて延設されており、各リブ８１，・・・は、図６に示したように、そのリブ上縁８３，・・・が前記周面５２側から前記支持部中心８２方向へ向かうに従って低くなるように、その高さ寸法が設定されている。
【００６９】
前記各リブ８１，・・・は、図４に示したように、等間隔をおいて周方向に配置されており、各リブ８１，・・・は、前記支持部中心８２を中心とした放射状に延設されている。各リブ８１，・・・の一端は、前記周面５２に連設されており、各リブ８１，・・・の他端は、前記膨出部６１から離間するように構成されている。
【００７０】
これにより、該膨出部６１と前記各リブ８１，・・・との間には、間隙９１，・・・が形成されており、前記各リブ８１，・・・同士は、その先端が離間するように構成されている。
【００７１】
また、前記膨出部６１の高さ寸法は、図６に示したように、前記各リブ８１，・・・の他端の高さよりやや低めに設定されており、各リブ８１，・・・の先端側には、前記各間隙９１，・・・や前記膨出部６１の上方空間１００で構成された連通空間１０１が形成されている。
【００７２】
これにより、前記各リブ８１，・・・に前記ゲル剤２が接した状態において（図５参照）、図４に示すように、各リブ８１，・・・で区画された各リブ８１，・・・側部の各側方空間１１１，・・・は、前記連通空間１０１を介して連通するように構成されている。
【００７３】
前記各リブ８１，・・・の前記周面５２側の端部からは、図５及び図６に示したように、可撓性を有した薄板状の舌片１２１，・・・が上方へ向けて延出しており、各舌片１２１，・・・の先端部には、前記支持部中心８２側へ向けて突出する係合部１２２，・・・が設けられている。
【００７４】
これにより、前記ゲル剤収容部１１を前記支持部４１にセットする際には、前記各舌片１２１，・・・が外側に傾倒することで、各舌片１２１，・・・に設けられた前記係合部１２２，・・・が、前記ゲル剤収容部１１の前記円筒部２２に突設された前記突出部２３を乗り越えて当該突出部２３の上方に位置するように構成されており、この状態において、前記舌片１２１の前記係合部１２２と前記ゲル剤収容部１１の前記被係合部２４とが係合するように構成されている。
【００７５】
以上の構成にかかる本実施において、前記ゲル剤収容部１１内のゲル剤２から揮散される揮散薬剤は、一般的に空気より重い。このため、前記ゲル剤収容部１１の開口部３１を下方へ向けた状態で前記支持部４１に支持することで、前記ゲル剤収容部１１内のゲル剤２から揮散された揮散薬剤を、前記ゲル剤収容部１１より効率良く供給することができる。
【００７６】
このとき、前記ゲル剤２から揮散された揮散薬剤は、容器状に形成された前記支持部４１の底面５１側に貯留される。このため、この揮散薬剤を前記支持部４１から効率的に外部へ供給するには、前記支持部４１の周面５２に開設された揮散口７１，・・・を、できるだけ前記底面５１側に設けることが望ましい。
【００７７】
一方、前記支持部４１の前記周面５２は、デザイン上、前記底面５１へ向かうに従って内側に傾斜する半球状の形成されており、この周面５２に開口した前記下段構成部７６を構成する前記各揮散口７１，・・・は、その下端部が前記ゲル剤収容部１１の前記開口部３１の下側に位置するように配置され、前記揮散薬剤の揮散効率の向上が図られている。
【００７８】
このとき、前記揮散口７１，・・・は、その開口部分の下端部が前記ゲル剤収容部１１の前記開口部３１の下方に回り込んでしまう。すなわち、本実施の形態の揮散容器１では、前記ゲル剤収容部１１を前記支持部４１にセットした状態で、前記下段構成部７６を構成する各揮散口７１，・・・の下端部が前記ゲル剤収容部１１の前記開口部３１の下側に位置するように前記下段構成部７６の各揮散口７１，・・・が配置されている。
【００７９】
ここで、前記ゲル剤２は、離水する場合がある。これにより、前記ゲル剤収容部１１の前記開口部３１より露出した前記ゲル剤２の表面に水滴が貯まり、この水滴が前記下段構成部７６の各揮散口７１，・・・の下端部から外部に漏れることが考えられる。
【００８０】
そこで、本実施の形態の揮散容器１では、前記支持部４１の前記底面５１に、リブ８１，・・・が立設されており、前記ゲル剤収容部１１の前記開口部３１から前記ゲル剤２が膨出した際に当該ゲル剤２が前記各リブ８１，・・・に当接するように構成されている。
【００８１】
このため、前記開口部３１から膨出した前記ゲル剤２は、前記各リブ８１，・・・によって下方から支持されるとともに、当該ゲル剤２の表面に付着した水滴は、前記リブ８１，・・・のリブ上縁８３，・・・や、当該リブ８１，・・・の側面に沿って流れることで、当該支持部４１の底部に案内される。
【００８２】
このとき、前記各リブ８１，・・・は、前記支持部４１の前記周面５２側から当該支持部４１の支持部中心８２方向へ向けて延設されている。このため、前記各リブ８１，・・・の前記リブ上縁８３，・・・に沿って流れた水滴は、当該支持部４１の中心部に集められる。
【００８３】
そのため、前記揮散口７１，・・・の下段構成部７６からの外部への水滴の漏れを確実に防止することができる。
【００８４】
このように、前記ゲル剤２を収容した前記ゲル剤収容部１１を、その開口部３１を下向きにした下向き状態で支持することができる。このため、空気より重い揮散薬剤を、前記ゲル剤収容部１１から効率的に取り出すことができる。
【００８５】
このとき、下向きに配置した前記ゲル剤収容部１１の開口部３１から前記ゲル剤２が膨出することがあるが、このゲル剤２を前記支持部４１に設けられた前記各リブ８１，・・・で支持することができる。これにより、当該ゲル剤２の不用意な飛び出しを確実に防止することができる。
【００８６】
そして、空気より重い揮散薬剤は、前記支持部４１の底部側に貯まる傾向にある。しかし、前記支持部４１の周面５２に設けられた前記下段構成部７６を構成する前記各揮散口７１，・・・を、その下端部が前記ゲル剤収容部１１の前記開口部３１の下側に位置するように配置することで、前記支持部４１内に貯留した前記揮散薬剤を効率的に外部へ供給することができる。
【００８７】
これにより、前記ゲル剤収容部１１を下向きに配置したことによる不具合を防止しつつ、前記ゲル剤２から揮散した揮散薬剤を効率的に外部へ供給することができる。
【００８８】
一方、前記ゲル剤収容部１１の開口部３１から露出した前記ゲル剤２表面には、水滴が付着することがある。このとき、前記ゲル剤２表面に付着した水滴を、前記支持部４１の前記底面５１に立設された前記各リブ８１，・・・に沿って案内することで、当該水滴を前記支持部４１の底部に集めることができる。
【００８９】
このとき、前記各リブ８１，・・・は、前記支持部４１の前記周面５２側から前記支持部中心８２方向へ向けて延設されている。このため、前記水滴を前記各リブ８１，・・・のリブ上縁８３，・・・に沿って流すことで、この水滴を当該支持部４１の中心部に集めることができる。
【００９０】
このように、前記ゲル剤２表面に発生した水滴を前記各リブ８１，・・・によって前記支持部４１の底部に案内することができるので、前記ゲル剤２表面からの水滴の滴下を未然に防止することができる。
【００９１】
このため、前記支持部４１の周面５２を底面５１側へ向かうに従って内側に傾斜した半球状のデザインとするとともに、揮散効率を高める為に前記下段構成部７６を構成する前記各揮散口７１，・・・の下端部が前記ゲル剤収容部１１の前記開口部３１の下側に位置するように各揮散口７１，・・・を配置した場合であっても、これらの揮散口７１，・・・から外部への前記水滴の漏れを確実に防止することができる。
【００９２】
したがって、前記ゲル剤収容部１１の開口部３１の真下に前記揮散口７１，・・・が開口しないように、前記開口部３１を小さくしたり、前記揮散口７１，・・・を高位置に配置しなければならなかった従来と比較して、液漏れ等の不具合を防止しつつ、デザイン設計時の自由度を高めることができる。
【００９３】
また、前記各リブ８１，・・・のリブ上縁８３，・・・を、前記周面５２側から前記支持部中心８２方向へ向かうに従って低くなるように設定したため、当該リブ８１，・・・に伝った水滴を、前記リブ上縁８３，・・・に沿って前記支持部４１の中心部に集めることができる。
【００９４】
一方、前記ゲル剤収容部１１の前記開口部３１からゲル剤２が膨出する場合は、その中心部が下方に位置するように球面状に突出することとなる。このとき、前記各リブ８１，・・・は、そのリブ上縁８３，・・・が前記支持部中心８２方向へ向かうに従って低くなるように設定されている。このため、当該リブ８１，・・・のリブ上縁８３，・・・を、下方に膨出した前記ゲル剤２の表面に線接触させることができる。
【００９５】
これにより、前記各リブ８１，・・・のリブ上縁８３，・・・が前記ゲル剤２表面に点接触する場合と比較して、接触面積の増大を図ることができ、当該リブ８１，・・・による前記水滴の収集効果を高めることができる。
【００９６】
そして、前記支持部４１の前記周面５２側から前記支持部中心８２方向へ向けて延在する前記各リブ８１，・・・は複数設けられており、前記開口部３１より膨出した前記ゲル剤２が前記各リブ８１，・・・のリブ上縁８３，・・・に接した状態では、各リブ８１，・・・の側方に設けられた側方空間１１１，・・・が前記各リブ８１，・・・によって区画されてしまう。
【００９７】
このとき、前記各リブ８１，・・・の先端は、離間するように構成されるとともに、各リブ８１，・・・の先端側に設けられた膨出部６１の高さ寸法は、前記各リブ８１，・・・の他端の高さより低く設定されており、各リブ８１，・・・の先端側には、各リブ８１，・・・と膨出部６１間に形成された各間隙９１，・・・と前記膨出部６１の上方空間とによって連通空間１０１が形成されている。
【００９８】
このため、前記各リブ８１，・・・に前記ゲル剤２が接した状態において、前記各リブ８１，・・・で区画された前記各側方空間１１１，・・・内で揮散した揮散薬剤を、前記連通空間１０１を介して、各側方空間１１１，・・・に流通することができ、各側方空間１１１，・・・での揮散薬剤の濃度を一定にすることができる。
【００９９】
これにより、濃度が一定化された揮散薬剤を、各側方空間１１１，・・・に連通した前記各揮散口７１，・・・より外部へ供給することができるので、供給方向によって薬剤濃度が変化するといった不具合を未然に解消することができる。
【０１００】
そして、前記ゲル剤収容部１１における前記開口部３１の周縁部には、前記被係合部２４が設けられており、前記各リブ８１，・・・の前記周面５２側の端部には、上方へ延出する舌片１２１，・・・が設けられるとともに、各舌片１２１，・・・の上端部には、前記ゲル剤収容部１１を前記支持部４１にセットした状態で、前記ゲル剤収容部１１の前記被係合部２４と係合する係合部１２２，・・・が設けられている。
【０１０１】
このため、前記ゲル剤収容部１１を前記支持部４１にセットした際には、前記リブ８１，・・・の端部に設けられた各舌片１２１，・・・先端の前記係合部１２２，・・・が前記ゲル剤収容部１１の前記被係合部２４に係合することで、前記支持部４１からの前記ゲル剤収容部１１の不用意な離脱を防止することができる。
【０１０２】
これにより、前記ゲル剤収容部１１を保持して移動する等の利用形態が可能となり、利便性が向上する。
【０１０３】
なお、本実施の形態では、前記ゲル剤収容部１１の前記開口部３１から膨出したゲル剤２が前記各リブ８１，・・・に当接した場合を例に挙げて説明したが、例えば前記ゲル剤２が前記ゲル剤収容部１１の奥側でゲル化された場合など当該ゲル剤２が前記開口部３１から膨出しない場合であっても、前述した水滴の外部への漏れ防止効果を奏することができる。
【０１０４】
具体的に説明すると、前記ゲル剤収容部１１内において前記ゲル剤２からの離水した水滴は、前記ゲル剤収容部１１の内壁面及び前記開口部３１の開口縁を伝って流れ出る。
【０１０５】
このとき、前記ゲル剤収容部１１には、収容されたゲル剤２の重さが加えられており、前記開口部３１の開口縁は前記支持部４１に設けられた前記各リブ８１，・・・に当接した状態で支持される。
【０１０６】
この場合、各リブ８１，・・・が前記開口部３１の開口縁に接触するため、該開口縁を伝って流出した前記水滴は、前記各リブ８１，・・・に沿って前記支持部４１の底部に案内される。
【０１０７】
このため、このような場合であっても、離水した水滴を前記支持部４１の底部に導く効果を得ることができ、水滴の外部への漏れ防止効果を奏することができる。
【符号の説明】
【０１０８】
１    揮散容器
２    ゲル剤
１１    ゲル剤収容部
２４    被係合部
３１    開口部
４１    支持部
５１    底面
５２    周面
７１    揮散口
８１    リブ
８２    支持部中心
８３    リブ上縁
１０１    連通空間
１１１    側方空間
１２１    舌片
１２２    係合部
【図１】
0005390470.tif 000002
【図２】
0005390470.tif 000003
【図３】
0005390470.tif 000004
【図４】
0005390470.tif 000005
【図５】
0005390470.tif 000006
【図６】
0005390470.tif 000007
【図７】
0005390470.tif 000008